【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
情報処理装置のコンピュータに、
第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で前記情報処理装置が動作している状態で、前記外部装置に送信されるデータを選択するための操作をユーザから受け付けるための画面を表示部に表示する表示ステップと、
前記画面を介して前記第１状態で受け付けられた前記操作に基づいて前記選択されたデータを前記外部装置に送信するための送信指示を受け付ける受け付けステップと、
前記送信指示が受け付けられることに応じて、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える切り替えステップと、
前記第２状態に切り替えられた場合、前記第１状態で受け付けられた前記操作に基づいて前記選択されたデータを、前記第２の通信方式によって前記外部装置に送信する送信ステップと、を実行させることを特徴とするプログラム。
【請求項２】
前記情報処理装置において前記プログラムが起動したことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第２切り替えステップを、更に実行させることを特徴とする請求項１に記載のプログラム。
【請求項３】
前記第２の通信方式によって前記外部装置に送信されたデータに基づく処理が終了したことを特定するデータ処理終了特定ステップと、
前記第２の通信方式によって前記外部装置に送信されたデータに基づく処理が終了したことが特定されたことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第３切り替えステップと、を更に実行させることを特徴とする請求項１又は２に記載のプログラム。
【請求項４】
前記情報処理装置において前記プログラムの動作が終了されることを特定する動作終了特定ステップと、
前記所定のプログラムの動作が終了されることが特定されたことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第４切り替えステップと、を更に実行させることを特徴とする請求項１乃至３のいずれか１項に記載のプログラム。
【請求項５】
前記表示部に前記画面が表示されたことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第５切り替えステップを更に実行させることを特徴とする請求項１乃至４のいずれか１項に記載のプログラム。
【請求項６】
前記外部装置に前記第２の通信方式によって送信されるデータは、前記第１の通信方式による前記インターネットとの通信を介して取得されるデータであることを特徴とする請求項１乃至５のいずれか１項に記載のプログラム。
【請求項７】
前記第１の通信方式は、移動体通信であることを特徴とする請求項１乃至６のいずれか１項に記載のプログラム。
【請求項８】
前記第２の通信方式は、Ｗｉ−Ｆｉ（登録商標）通信であることを特徴とする請求項１乃至７のいずれか１項に記載のプログラム。
【請求項９】
前記外部装置との接続は、前記第２の通信方式によって、前記外部装置の外部及び前記情報処理装置の外部のアクセスポイントを介さずに直接接続する形態であることを特徴とする請求項１乃至８のいずれか１項に記載のプログラム。
【請求項１０】
前記第１状態で受け付けられた前記操作に基づいて前記選択されたデータが前記外部装置に送信されたことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第６切り替えステップを更に実行させることを特徴とする請求項１乃至９のいずれか１項に記載のプログラム。
【請求項１１】
前記第１状態で受け付けられた前記操作に基づいて前記選択されたデータが前記外部装置に送信された場合、前記第１状態で受け付けられた前記操作に基づいて前記選択されたデータに基づく印刷が前記外部装置によって実行されることを特徴とする請求項１乃至１０のいずれか１項に記載のプログラム。
【請求項１２】
前記プログラムは、アプリケーションプログラムであることを特徴とする請求項１乃至１１のいずれか１項に記載のプログラム。
【請求項１３】
プログラムであって、
情報処理装置のコンピュータに、
前記情報処理装置の表示部に、前記プログラムによって画面が表示されている状態で、前記情報処理装置を、第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で動作させる制御ステップと、
前記表示部に前記プログラムによって画面が表示されている状態で、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える第１切り替えステップと、
前記表示部に前記プログラムによって画面が表示されており、且つ前記第２状態で前記情報処理装置が動作している状態で、前記第２の通信方式によって前記外部装置との前記データ通信を実行する通信ステップと、
前記外部装置との前記データ通信が完了した後、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第２切り替えステップと、
を実行させることを特徴とするプログラム。
【請求項１４】
前記プログラムが起動したことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第３切り替えステップを、更に実行させることを特徴とする請求項１３に記載のプログラム。
【請求項１５】
前記外部装置との前記データ通信によって送信されたデータに基づく処理を前記外部装置が終了したことに応じて、前記情報処理装置の状態が、前記第２状態から、前記第１状態に、前記第１の通信方式による前記インターネットとの接続及び前記第２の通信方式による前記外部装置との接続を前記情報処理装置が並行して確立したまま切り替えられることを特徴とする請求項１３又は１４に記載のプログラム。
【請求項１６】
前記情報処理装置における前記プログラムの動作が終了されることに応じて、前記情報処理装置の状態が、前記第２状態から、前記第１状態に、前記第１の通信方式による前記インターネットとの接続及び前記第２の通信方式による前記外部装置との接続を前記情報処理装置が並行して確立したまま切り替えられることを特徴とする請求項１３乃至１５のいずれか１項に記載のプログラム。
【請求項１７】
前記外部装置との前記データ通信が終了したことに応じて、前記情報処理装置の状態が、前記第２状態から、前記第１状態に、前記第１の通信方式による前記インターネットとの接続及び前記第２の通信方式による前記外部装置との接続を前記情報処理装置が並行して確立したまま切り替えられることを特徴とする請求項１３乃至１６のいずれか１項に記載のプログラム。
【請求項１８】
前記外部装置との前記データ通信によって前記外部装置に送信されるデータをユーザに選択させるための画面を、前記情報処理装置が備える表示部に表示させる表示ステップと、
前記表示部に前記画面が表示されたことに応じて、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第４切り替えステップを、更に実行させることを特徴とする請求項１３乃至１７のいずれか１項に記載のプログラム。
【請求項１９】
データを前記外部装置に送信するための送信指示を受け付ける受付ステップを更に実行させ、
前記送信指示が受け付けられることに応じて、前記情報処理装置の状態が、前記第１状態から、前記第２状態に、前記第１の通信方式による前記インターネットとの接続及び前記第２の通信方式による前記外部装置との接続を並行して確立したまま切り替えられることを特徴とする請求項１３乃至１８のいずれか１項に記載のプログラム。
【請求項２０】
前記外部装置との前記データ通信が完了した後、前記表示部に前記プログラムによって画面が表示されている状態で、前記情報処理装置の状態が、前記第２状態から、前記第１状態に、前記第１の通信方式による前記インターネットとの接続及び前記第２の通信方式による前記外部装置との接続を前記情報処理装置が並行して確立したまま切り替えられることを特徴とする請求項１３乃至１９のいずれか１項に記載のプログラム。
【請求項２１】
前記第１の通信方式は、移動体通信であることを特徴とする請求項１３乃至２０のいずれか１項に記載のプログラム。
【請求項２２】
前記第２の通信方式は、Ｗｉ−Ｆｉ（登録商標）通信であることを特徴とする請求項１３乃至２１のいずれか１項に記載のプログラム。
【請求項２３】
前記外部装置との接続は、前記第２の通信方式によって、前記外部装置の外部及び前記情報処理装置の外部のアクセスポイントを介さずに直接接続する形態であることを特徴とする請求項１３乃至２２のいずれか１項に記載のプログラム。
【請求項２４】
前記外部装置との前記データ通信によって所定のデータが前記外部装置に送信された場合、前記所定のデータに基づく印刷が前記外部装置によって実行されることを特徴とする請求項１３乃至２３のいずれか１項に記載のプログラム。
【請求項２５】
前記プログラムは、アプリケーションプログラムであることを特徴とする請求項１３乃至２４のいずれか１項に記載のプログラム。
【請求項２６】
情報処理装置の制御方法であって、
第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で前記情報処理装置が動作している状態で、前記外部装置に送信されるデータを選択するための操作をユーザから受け付けるための画面を表示部に表示する表示ステップと、
前記画面を介して前記第１状態で受け付けられた前記操作に基づいて前記選択されたデータを前記外部装置に送信するための送信指示を受け付ける受け付けステップと、
前記送信指示が受け付けられることに応じて、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える切り替えステップと、
前記第２状態に切り替えられた場合、前記第１状態で受け付けられた前記操作に基づいて前記選択されたデータを、前記第２の通信方式によって前記外部装置に送信する送信ステップと、を有することを特徴とする制御方法。
【請求項２７】
情報処理装置の制御方法であって、
前記情報処理装置の表示部に、前記情報処理装置において動作する所定のプログラムによって画面が表示されている状態で、前記情報処理装置を、第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で動作させる制御ステップと、
前記表示部に前記所定のプログラムによって画面が表示されている状態で、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える第１切り替えステップと、
前記表示部に前記所定のプログラムによって画面が表示されており、且つ前記第２状態で前記情報処理装置が動作している状態で、前記第２の通信方式によって前記外部装置との前記データ通信を実行する通信ステップと、
前記外部装置との前記データ通信が完了した後、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第２切り替えステップと、
を有することを特徴とする制御方法。
【請求項２８】
情報処理装置であって、
第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で前記情報処理装置が動作している状態で、前記外部装置に送信されるデータを選択するための操作をユーザから受け付けるための画面を表示部に表示する表示手段と、
前記画面を介して前記第１状態で受け付けられた前記操作に基づいて前記選択されたデータを前記外部装置に送信するための送信指示を受け付ける受け付け手段と、
前記送信指示が受け付けられることに応じて、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える切り替え手段と、
前記第２状態に切り替えられた場合、前記第１状態で受け付けられた前記操作に基づいて前記選択されたデータを、前記第２の通信方式によって前記外部装置に送信する送信手段と、を有することを特徴とする情報処理装置。
【請求項２９】
情報処理装置であって、
前記情報処理装置の表示部に、前記情報処理装置において動作する所定のプログラムによって画面が表示されている状態で、前記情報処理装置を、第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で動作させる制御手段と、
前記表示部に前記所定のプログラムによって画面が表示されている状態で、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える第１切り替え手段と、
前記表示部に前記所定のプログラムによって画面が表示されており、且つ前記第２状態で前記情報処理装置が動作している状態で、前記第２の通信方式によって前記外部装置との前記データ通信を実行する通信手段と、
前記外部装置との前記データ通信が完了した後、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第２切り替え手段と、
を有することを特徴とする情報処理装置。
【手続補正２】
【補正対象書類名】明細書
【補正対象項目名】０００７
【補正方法】変更
【補正の内容】
【０００７】
上述のような課題を解決するための本発明のプログラムは、情報処理装置のコンピュータに、
第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で前記情報処理装置が動作している状態で、前記外部装置に送信されるデータを選択するための操作をユーザから受け付けるための画面を表示部に表示する表示ステップと、
前記画面を介して前記第１状態で受け付けられた前記操作に基づいて前記選択されたデータを前記外部装置に送信するための送信指示を受け付ける受け付けステップと、
前記送信指示が受け付けられることに応じて、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える切り替えステップと、
前記第２状態に切り替えられた場合、前記第１状態で受け付けられた前記操作に基づいて前記選択されたデータを、前記第２の通信方式によって前記外部装置に送信する送信ステップと、を実行させることを特徴とする。
【手続補正３】
【補正対象書類名】明細書
【補正対象項目名】０００８
【補正方法】変更
【補正の内容】
【０００８】
また、本発明のプログラムは、情報処理装置のコンピュータに、
前記情報処理装置の表示部に、前記プログラムによって画面が表示されている状態で、前記情報処理装置を、第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で動作させる制御ステップと、
前記表示部に前記プログラムによって画面が表示されている状態で、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える第１切り替えステップと、
前記表示部に前記プログラムによって画面が表示されており、且つ前記第２状態で前記情報処理装置が動作している状態で、前記第２の通信方式によって前記外部装置との前記データ通信を実行する通信ステップと、
前記外部装置との前記データ通信が完了した後、前記情報処理装置の状態を、前記第２状態から、前記第１状態に、前記第１の通信方式による前記インターネットとの接続及び前記第２の通信方式による前記外部装置との接続を前記情報処理装置が並行して確立したまま切り替える第２切り替えステップと、
を実行させることを特徴とする。
【手続補正４】
【補正対象書類名】明細書
【補正対象項目名】０００９
【補正方法】変更
【補正の内容】
【０００９】
また、本発明の制御方法は、情報処理装置の制御方法であって、
第１の通信方式によるインターネットとの接続及び第２の通信方式による外部装置との接続を並行して確立しており、前記第１の通信方式による前記インターネットとの通信が可能であり、且つ前記第２の通信方式による前記外部装置との通信が可能でない第１状態で前記情報処理装置が動作している状態で、前記外部装置に送信されるデータを選択するための操作をユーザから受け付けるための画面を表示部に表示する表示ステップと、
前記画面を介して前記第１状態で受け付けられた前記操作に基づいて前記選択されたデータを前記外部装置に送信するための送信指示を受け付ける受け付けステップと、
前記送信指示が受け付けられることに応じて、前記情報処理装置の状態を、前記第１状態から、前記第１の通信方式による前記インターネットとの接続及び前記第２の通信方式による前記外部装置との接続を並行して確立しており、前記第２の通信方式による前記外部装置との通信が可能であり、且つ前記第１の通信方式による前記インターネットとの通信が可能でない第２状態に、前記第１の通信方式による前記インターネットとの接続及び前記第２の通信方式による前記外部装置との接続を前記情報処理装置が並行して確立したまま切り替える切り替えステップと、
前記第２状態に切り替えられた場合、前記第１状態で受け付けられた前記操作に基づいて前記選択されたデータを、前記第２の通信方式によって前記外部装置に送信する送信ステップと、を有することを特徴とする。